(57)【要約】【課題】流動性と形状保持性をより有効に両立して達成でき、使用者を局所的に押圧する可能性が低減乃至は解消された、新規な構造の姿勢保持用クッションを提供する。【解決手段】袋体１２と、袋体１２に充填された詰め物１４からなる姿勢保持用クッション１０であって、詰め物１４が、可撓性を有する俵型の発泡ビーズ２０と、可撓性を有する円筒状の中空パイプ２２とを含んでおり、発泡ビーズ２０と中空パイプ２２が３：１〜９：１の容積比で混合されている。【選択図】図１
0003225688.tif 000002
【実用新案登録請求の範囲】
【請求項１】
袋体と、該袋体に充填された詰め物からなる姿勢保持用クッションであって、
前記詰め物が、可撓性を有する俵型の発泡ビーズと、可撓性を有する円筒状の中空パイプとを含んでおり、
前記発泡ビーズと前記中空パイプが３：１〜９：１の容積比で混合されている
ことを特徴とする姿勢保持用クッション。
【請求項２】
前記発泡ビーズが、３．０〜５．０ｍｍの径寸法を有する俵型の樹脂発泡体からなり、前記中空パイプが、４．０〜５．０ｍｍの長さ寸法と２．５〜３．５ｍｍの外径寸法と０．１８〜０．２２ｍｍの板厚寸法を有する合成樹脂製の中空パイプである請求項１に記載の姿勢保持用クッション。
【請求項３】
前記袋体が、平面視で長方形状の中央部と、該中央部と同一長さの長辺と該中央部よりも短い長さの短辺を有する平面視で長方形状の一対の側部とを有し、該中央部の一対の長辺側に前記一対の側部がそれぞれ配置され、それらの長辺同士で連結された構成とされており、
前記中央部と各前記側部には、前記発泡ビーズと前記中空パイプが３：１の容積比で混合されている請求項１または請求項２に記載の姿勢保持用クッション。
【請求項４】
前記袋体が、使用者の頭部から胸部までを保持できる大きさの矩形状を有しており、使用者の前記頭部側に配置される隣り合う２つの角部が円弧状とされており、前記発泡ビーズと前記中空パイプが６：１の容積比で混合されている請求項１または請求項２に記載の姿勢保持用クッション。
【請求項５】
前記袋体の平面視形状が、Ｊ字状とされており、前記発泡ビーズと前記中空パイプが６：１の容積比で混合されている請求項１または請求項２に記載の姿勢保持用クッション。
【請求項６】
前記袋体の平面視形状が、長辺が短辺の３倍以上で１ｍ以上の長さを有する長方形状とされており、前記発泡ビーズと前記中空パイプが６：１の容積比で混合されている請求項１または請求項２に記載の姿勢保持用クッション。
【請求項７】
前記袋体の平面視形状が、Ｃ字状とされており、前記発泡ビーズと前記中空パイプが９：１の容積比で混合されている請求項１または請求項２に記載の姿勢保持用クッション。
【請求項８】
前記詰め物が、前記袋体の内容積の５０〜９５％で充填されている請求項１から請求項７のいずれか１項に記載の姿勢保持用クッション。
【考案の詳細な説明】
【技術分野】
【０００１】
本考案は、使用者の姿勢を保持するために好適に用いることができる、姿勢保持用クッションに関する。
【背景技術】
【０００２】
従来から、医療や介護等の分野においては、褥瘡予防や関節拘縮対策等のために、ポジショニングクッションやポジショニングピローと称される姿勢保持用クッションが用いられている。このような姿勢保持用クッションは、ベッド上の使用者の適切な体位を保持する補助具として用いられるものであり、例えば、特開２０１０−２０７４４０号公報（特許文献１）には、膝同士が触れないような姿勢を保持するために、膝の間に挟持して用いられる褥瘡防止用ピローが開示されている。
【０００３】
ところで、このような姿勢保持用クッションには、使用者の体に沿って柔軟に変形が可能な流動性が求められる一方、使用者の適切な体位を保持できる所定の形状保持性も求められる。そのため、特許文献１に開示の褥瘡予防用ピローでは、角型のフォーム片と発泡ビーズとを容積比５０：５０〜７５：２５の範囲内で袋体に充填することが提案されている。
【先行技術文献】
【特許文献】
【０００４】
【特許文献１】特開２０１０−２０７４４０号公報
【考案の概要】
【考案が解決しようとする課題】
【０００５】
しかしながら、特許文献１の褥瘡防止ピローでは、袋体に充填する詰め物として球体の発泡ビーズを含んでいるため、良好な流動性は得られるものの、形状保持性に劣り、使用者の適切な体位を安定して保持できなかった。さらに、角型のフォーム片は、使用者を局所的に押圧する可能性があり、クッションからの反力の集中を招くおそれもあった。
【０００６】
本考案は、上述の事情を背景に為されたものであって、その解決課題は、流動性と形状保持性をより有効に両立して達成でき、使用者を局所的に押圧する可能性が低減乃至は解消された、新規な構造の姿勢保持用クッションを提供することにある。
【課題を解決するための手段】
【０００７】
第１の態様は、袋体と、該袋体に充填された詰め物からなる姿勢保持用クッションであって、前記詰め物が、可撓性を有する俵型の発泡ビーズと、可撓性を有する円筒状の中空パイプとを含んでおり、前記発泡ビーズと前記中空パイプが３：１〜９：１の容積比で混合されていることを特徴とする姿勢保持用クッションである。
【０００８】
本態様に記載の姿勢保持用クッションによれば、袋体に充填される詰め物が可撓性を有する俵型の発泡ビーズと可撓性を有する円筒状の中空パイプで構成されている。発泡ビーズが俵型であることから、球状の発泡ビーズを採用していた従来構造に比して、発泡ビーズの回転変位が制限されており、姿勢保持用クッションの形状保持性を向上させることができる。また、円筒状の中空パイプは、角型のフォーム片に比べて使用者を局所的に押圧する角部が省略されて、しかも中空であることから、使用者を局所的に押圧する可能性が低減乃至は解消されている。しかも、中空パイプを採用することで、柔軟性と通気性を両立して達成することができ、使用者との当接面に蒸れ等が発生する不具合も低減されている。
【０００９】
加えて、俵型の発泡ビーズと円筒状の中空パイプが、３：１〜９：１の容積比で混合されていることにより、姿勢保持用クッションに要求される流動性と形状保持性を良好に達成することができる。
【００１０】
第２の態様は、前記第１の態様に係る姿勢保持用クッションにおいて、前記発泡ビーズが、３．０〜５．０ｍｍの径寸法を有する俵型の樹脂発泡体からなり、前記中空パイプが、４．０〜５．０ｍｍの長さ寸法と２．５〜３．５ｍｍの外径寸法と０．１８〜０．２２ｍｍの板厚寸法を有する合成樹脂製の中空パイプであるものである。
【００１１】
本態様に記載の姿勢保持用クッションによれば、特定形状の発泡ビーズと特定形状の中空パイプを採用することで、姿勢保持用クッションに要求される流動性と形状保持性を一層有利に達成することができる。
【００１２】
第３の態様は、前記第１または第２の態様に係る姿勢保持用クッションにおいて、前記袋体が、平面視で長方形状の中央部と、該中央部と同一長さの長辺と該中央部よりも短い長さの短辺を有する平面視で長方形状の一対の側部とを有し、該中央部の一対の長辺側に前記一対の側部がそれぞれ配置され、それらの長辺同士で連結された構成とされており、前記中央部と各前記側部には、前記発泡ビーズと前記中空パイプが３：１の容積比で混合されているものである。
【００１３】
本態様に記載の姿勢保持用クッションによれば、袋体の中央部と一対の側部との連結部位に仰臥位の脚部を沿わせて使用者の体位を固定することができ、中央部と一対の側部により使用者の両脚部を保持することで、体圧分散をさせつつ脚部の位置を安定して支持することができる。
【００１４】
使用者の脚部を保持する中央部と各側部には、発泡ビーズと中空パイプが３：１の容積比で混合されていることから、発泡ビーズで優れた形状保持力を発揮しつつ中空パイプの優れた体圧分散性と通気性により快適に脚部を安定して保持することができる。
【００１５】
第４の態様は、前記第１または第２の態様に係る姿勢保持用クッションにおいて、前記袋体が、使用者の頭部から胸部までを保持できる大きさの矩形状を有しており、使用者の前記頭部側に配置される隣り合う２つの角部が円弧状とされており、前記発泡ビーズと前記中空パイプが６：１の容積比で混合されているものである。
【００１６】
本態様に記載の姿勢保持用クッションによれば、袋体が使用者の上半身を保持できる大きさを有していることから、円背の使用者の上半身を有利に支えることができる。しかも、発泡ビーズと中空パイプが６：１の容積比で混合されていることから、比較的大きな体重が加えられても、発泡ビーズで安定して姿勢を保持しつつ、分散された中空パイプとの協働により優れた体圧分散性を発揮することができる。特に、頭部側に配置される隣り合う２つの角部が円弧状とされていることから、使用者の周囲に、介護用や看護用のその他の器具等を配置するスペースも確保できる。
【００１７】
第５の態様は、前記第１または第２の態様に係る姿勢保持用クッションにおいて、前記袋体の平面視形状が、Ｊ字状とされており、前記発泡ビーズと前記中空パイプが６：１の容積比で混合されているものである。
【００１８】
本態様に記載の姿勢保持用クッションによれば、袋体の平面視形状がＪ字状とされていることから、側臥位の背中と臀部や腹臥位の腹部と大腿部を同時に支持することができる。しかも、発泡ビーズと中空パイプが６：１の容積比で混合されていることから、比較的大きな体重が加えられても、発泡ビーズで安定して姿勢を保持しつつ、分散された中空パイプとの協働により優れた体圧分散性を発揮することができる。
【００１９】
第６の態様は、前記第１または第２の態様に係る姿勢保持用クッションにおいて、前記袋体の平面視形状が、長辺が短辺の３倍以上で１ｍ以上の長さを有する長方形状とされており、前記発泡ビーズと前記中空パイプが６：１の容積比で混合されているものである。
【００２０】
本態様に記載の姿勢保持用クッションによれば、袋体の平面視形状が、長辺が短辺の３倍以上で１ｍ以上の長さを有する長方形状とされていることから、仰臥位の頭部、肩、腕を同時に支えたり、側臥位の頭部、肩、腕部、背中、臀部、足までを同時に支えることも可能となる。しかも、発泡ビーズと中空パイプが６：１の容積比で混合されていることから、比較的大きな体重が加えられても、発泡ビーズで安定して姿勢を保持しつつ、分散された中空パイプとの協働により優れた体圧分散性を発揮することができる。
【００２１】
第７の態様は、前記第１または第２の態様に係る姿勢保持用クッションにおいて、前記袋体の平面視形状が、Ｃ字状とされており、前記発泡ビーズと前記中空パイプが９：１の容積比で混合されているものである。
【００２２】
本態様に記載の姿勢保持用クッションによれば、袋体が平面視形状が、Ｃ字状とされていることから、座位の使用者の背中から肩、腕を支えることができ、座位の使用者の体位の崩れを防止することができる。しかも、発泡ビーズと中空パイプが９：１の容積比で混合されていることから、発泡ビーズによる形状保持性により座位の使用者の姿勢を安定して保持しつつ、中空パイプとの協働により優れた体圧分散性を発揮することができる。
【００２３】
第８の態様は、前記第１〜第７のいずれかの態様に係る姿勢保持用クッションにおいて、前記詰め物が、前記袋体の内容積の５０〜９５％で充填されているものである。
【００２４】
本態様に記載の姿勢保持用クッションによれば、詰め物が、袋体の内容積に対して５０％以上充填されることで、詰め物による形状保持性が安定して発揮され得る。また、詰め物が、袋体の内容積に対して９５％以下充填されることで、袋体の内部において、詰め物が安定して流動することができる。
【考案の効果】
【００２５】
本考案によれば、流動性と形状保持性をより有効に両立して達成でき、使用者を局所的に押圧する可能性が低減乃至は解消された姿勢保持用クッションを提供できる。
【図面の簡単な説明】
【００２６】
【図１】本考案の第１の実施形態としての姿勢保持用クッションを示す平面図
【図２】図１に示された姿勢保持用クッションの詰め物を構成する中空パイプを拡大して示す斜視図
【図３】図１に示された姿勢保持用クッションの使用態様の具体的な一例を説明するための説明図
【図４】本考案の第２の実施形態としての姿勢保持用クッションを示す平面図
【図５】図４に示された姿勢保持用クッションの使用態様の具体的な一例を説明するための説明図
【図６】本考案の第３の実施形態としての姿勢保持用クッションを示す平面図
【図７】図６に示された姿勢保持用クッションの使用態様の具体的な一例を説明するための説明図であって、（ａ）が側臥位の状態、（ｂ）が腹臥位の状態
【図８】本考案の第４の実施形態としての姿勢保持用クッションを示す平面図
【図９】図８に示された姿勢保持用クッションの使用態様の具体的な一例を説明するための説明図であって、（ａ）が仰臥位の状態、（ｂ）が側臥位の状態
【図１０】本考案の第５の実施形態としての姿勢保持用クッションを示す平面図
【図１１】図１０に示された姿勢保持用クッションの使用態様の具体的な一例を説明するための説明図
【考案を実施するための形態】
【００２７】
以下、本考案を更に具体的に明らかにするために、本考案の実施形態について、図面を参照しつつ、詳細に説明する。
【００２８】
＜第１の実施形態＞
図１には、本考案の第１の実施形態としての姿勢保持用クッション１０が示されている。この姿勢保持用クッション１０は、袋体１２と、当該袋体１２に充填される詰め物１４とを含んで構成されている。
【００２９】
本実施形態の袋体１２は、全体として平面視が略矩形状とされており、織布や不織布、樹脂シート等から構成された表面層１６と裏面層１８とから構成されている。なお、袋体１２は、洗濯を可能としたり、肌触りの良さ等から布製であることが好ましい。そして、表面層１６と裏面層１８との間に詰め物１４が充填された状態で外周縁部の四辺が縫製や溶着、接着等により固着されることで、袋体１２に詰め物１４が充填されている。
【００３０】
なお、袋体１２は、詰め物１４を充填する前の状態で周囲の三方が固着されて、残りの一方の開口部から詰め物１４を充填した後、当該開口部を封止してもよいし、例えば裏面層１８の中央部分に詰め物１４を載置した状態で上方から表面層１６を重ね合わせて、表面層１６と裏面層１８との周囲の四辺を固着してもよい。即ち、姿勢保持用クッション１０では、中央部分に詰め物１４が充填されていると共に、外周縁部では、詰め物１４が充填されることなく表面層１６と裏面層１８とが固着されていることから、中央部分に比して外周縁部の厚さ寸法が小さくされている。
【００３１】
袋体１２における詰め物１４の充填率は限定されるものではないが、例えば袋体１２の内容積の５０％以上とされることが好適である。即ち、詰め物１４の充填率が５０％より小さい場合、姿勢保持用クッション１０の形状保持性が十分に発揮されないおそれがある。また、詰め物１４の充填率は、袋体１２の内容積の９５％以下とされることが好適である。詰め物１４の充填率が９５％より大きい場合、袋体１２の内部で詰め物１４が流動することが困難となり、使用者の姿勢に追従した姿勢保持用クッション１０の変形が制限されるおそれがある。
【００３２】
また、詰め物１４は、発泡ビーズ２０と中空パイプ２２とを含んで構成されている。発泡ビーズ２０は、全体として略俵型、即ち略円柱形状とされた部分の長さ方向両側に略半球形状の部分が設けられた構造とされている。この発泡ビーズ２０は、例えば合成樹脂製の発泡体として形成されており、本実施形態では、耐熱性ポリプロピレンにより形成されている。これにより、発泡ビーズ２０が、撓み変形（好適には弾性変形）可能とされている。なお、発泡ビーズ２０の発泡態様は限定されるものではないが、弾性変形のし易さから、独立気泡よりも連続気泡として形成されることが好ましい。
【００３３】
発泡ビーズ２０の径寸法、即ち長さ方向中間部分における略円柱形状とされた部分の外径寸法は、好適には、３．０ｍｍ以上とされる。発泡ビーズ２０の径寸法が３．０ｍｍよりも小さい場合には、流動性が増大して、形状安定性の向上効果が十分に発揮されないおそれがある。また、発泡ビーズ２０の径寸法は、好適には５．０ｍｍ以下とされる。発泡ビーズ２０の径寸法が５．０ｍｍよりも大きい場合には、流動性が低下して、使用者の姿勢に追従する変形が生じにくくなるおそれがある。
【００３４】
また、中空パイプ２２は、図２にも示されるように、全体として略円筒形状とされており、例えば合成樹脂製とされている。本実施形態では、中空パイプ２２が、ポリエチレン樹脂により形成されている。特に、本実施形態では、中空パイプ２２が比較的薄肉とされており、これにより、中空パイプ２２は、例えば折り曲げたり潰れたりする方向の撓み変形（好適には弾性変形）が可能とされている。
【００３５】
中空パイプ２２の長さ寸法Ｌｐは、４．０ｍｍ以上とされることが好適である。即ち、中空パイプ２２の長さ寸法Ｌｐが４．０ｍｍより小さい場合には、中空パイプ２２の流動性が増大して、形状安定性の向上効果が十分に発揮されないおそれがある。また、中空パイプ２２の長さ寸法Ｌｐは、５．０ｍｍ以下とされることが好適である。即ち、中空パイプ２２の長さ寸法Ｌｐが５．０ｍｍより大きい場合には、流動性が低下して、使用者の姿勢に追従する変形が生じにくくなるおそれがある。
【００３６】
さらに、中空パイプ２２の外径寸法φｐは、２．５ｍｍ以上とされることが好適である。即ち、中空パイプ２２の外径寸法φｐが２．５ｍｍより小さい場合には、例えば中空パイプ２２が潰れるように変形した際の変形量が小さくなって使用者の姿勢に追従する変形が生じにくくなったり、流動性が増大して形状安定性の向上効果が十分に発揮されないおそれがある。更にまた、中空パイプ２２の外径寸法φｐは、３．５ｍｍ以下とされることが好適である。中空パイプ２２の外径寸法φｐが３．５ｍｍより大きい場合には、中空パイプ２２の潰れ変形が生じ易くなって使用者の姿勢を保持する効果が十分に発揮されなかったり、流動性が低下して使用者の姿勢に追従する変形が生じにくくなるおそれがある。
【００３７】
また、中空パイプ２２の板厚寸法Ｔｐは、０．１８ｍｍ以上とされることが好適である。即ち、中空パイプ２２の板厚寸法Ｔｐが０．１８ｍｍより小さい場合には、例えば中空パイプ２２が潰れるように変形し易くなり、使用者の姿勢を保持する効果が十分に発揮されないおそれがある。さらに、中空パイプ２２の板厚寸法Ｔｐは、０．２２ｍｍ以下とされることが好適である。中空パイプ２２の板厚寸法Ｔｐが０．２２ｍｍより大きい場合には、中空パイプ２２の潰れ変形等が生じにくくなり、使用者の姿勢に追従する変形が生じにくくなるおそれがある。
【００３８】
なお、中空パイプ２２の内径寸法は、発泡ビーズ２０の径寸法よりも小さくされることが好適であり、これにより、中空パイプ２２の内部に発泡ビーズ２０が入り込むことが防止され得る。
【００３９】
以上の如き発泡ビーズ２０と中空パイプ２２とは、袋体１２の内部に３：１〜９：１の容積比で混合されている。なお、中空パイプ２２の容積とは、内孔を構成する内部の円柱状の空間を含まないものとする。
【００４０】
ここにおいて、本実施形態の袋体１２は、全体として、図１中の上下方向寸法に比して左右方向寸法の方が大きい、平面視で略横長の矩形状とされている。特に、本実施形態では、平面視において略縦長の矩形状とされた３つの袋体が図１中の左右方向で連結された構造とされており、即ち、図１中の左右方向中間部分の中央部２４と、当該中央部２４の左右方向両側（長辺側）に一対の側部２６，２６とを備えている。これにより、中央部２４と側部２６との間には、中央部２４の外周縁部と側部２６の外周縁部とで形成された溝部２８が設けられており、当該溝部２８では、中央部２４や側部２６の中央部分に比して厚さ寸法が小さくされている。即ち、中央部２４と側部２６とが溝部２８により仕切られている。
【００４１】
これら中央部２４及び一対の側部２６，２６は、それぞれ図１中において上下方向に延びる辺が長辺（長さ寸法Ｌ１）とされていると共に、図１中において左右方向に延びる辺が短辺とされている。本実施形態では、中央部２４の短辺（長さ寸法Ｌ２）が、側部２６の短辺（長さ寸法Ｌ３）よりも大きくされている。特に、本実施形態では、袋体１２が略横長とされており、即ち（Ｌ１）＜｛Ｌ２＋（２×Ｌ３）｝とされている。尤も、側部の短辺は、中央部の短辺よりも大きくされてもよい。
【００４２】
なお、中央部２４と両側の側部２６，２６とは、それぞれ別個に形成されて外周縁部の長辺同士を重ね合わせて、縫製や接着、溶着等により後固着して連結することで、溝部２８を有する袋体１２を形成してもよいし、例えば横長の袋体１２を形成した後、図１中の左右方向の所定位置に上下方向に延びる溝部２８を、例えば縫製等で形成することで、中央部２４と側部２６，２６とが形成されるようになっていてもよい。或いは、外方に開口する凹状の溝部を有する袋体の表面層と裏面層とを作製して、これら表面層と裏面層との間に詰め物を配置した後、表面層と裏面層の周囲の四辺を相互に固着してもよい。この場合には、表面層の溝部と裏面層の溝部との間にも詰め物が充填される。尤も、裏面層側の溝部は必須なものではない。また、表面層側の溝部と裏面層側の溝部とは、相互に形成位置や延びる向きを異ならせてもよい。
【００４３】
本実施形態では、これら中央部２４と両側部２６，２６に対して、詰め物１４が、例えばそれぞれ略６０％程度の充填率で充填されている。なお、詰め物１４における発泡ビーズ２０と中空パイプ２２との容積比は限定されるものではないが、本実施形態では、中央部２４と両側部２６，２６において、発泡ビーズ２０と中空パイプ２２とが、略３：１の容積比で混合されている。
【００４４】
上記の如き形状とされた本実施形態の姿勢保持用クッション１０の使用態様の具体的な一例を図３に示すが、姿勢保持用クッション１０の使用態様は限定されるものではない。
【００４５】
すなわち、例えばベッド上に仰臥位で横たわる使用者Ａの両脚部Ａ１，Ａ１に対して姿勢保持用クッション１０が好適に適用される。これにより、中央部２４及び側部２６に対して厚さ寸法が小さくされて相対的に凹とされた溝部２８上に脚部Ａ１を安定して位置させることができる。
【００４６】
ここにおいて、姿勢保持用クッション１０に充填される詰め物１４が可撓性を有することから、姿勢保持用クッション１０に使用者Ａの体圧が及ぼされることで姿勢保持用クッション１０が使用者Ａの姿勢に追従して変形することができて、使用者Ａの脚部Ａ１に対して局所的に圧力が及ぼされることがなく、体圧が効果的に分散され得る。それと共に、詰め物１４が俵型の発泡ビーズ２０を含んで構成されていることから、従来構造のように発泡ビーズが球状とされる場合に比べて発泡ビーズが流動し過ぎることがなく、姿勢保持用クッション１０の形状が安定して保持されて、脚部Ａ１が姿勢保持用クッション１０により安定して支持され得る。
【００４７】
また、詰め物１４が中空パイプ２２を含んで構成されていることから、発泡ビーズ２０と協働して適度な流動性（変形性）と形状の保持性とが両立して達成され得る。更に、詰め物１４を通気性良く形成することも可能であり、袋体１２の材質によっては、姿勢保持用クッション１０をそのまま洗濯することも可能となる。更にまた、中空パイプ２２が角部のない略円筒形状とされていることから、角部により使用者Ａに局所的に圧力が及ぼされることが防止され得る。
【００４８】
特に、本実施形態では、詰め物１４において、発泡ビーズ２０と中空パイプ２２とが３：１の容積比で混合されている。即ち、本実施形態のように仰臥位の使用者Ａの脚部Ａ１を支持する場合、脚部Ａ１はそれ程大きく動く部位でなく、且つ脚部Ａ１は重量のある部位であることから、後述する実施形態に比べて、中空パイプ２２よりも比較的流動し易い発泡ビーズ２０が、少なめに混合されている。これにより、流動性（変形性）よりも形状保持性が他の実施形態に比べて強く発揮されて、使用者Ａの脚部Ａ１が安定して支持され得る。
【００４９】
＜第２の実施形態＞
次に、図４には、本考案の第２の実施形態としての姿勢保持用クッション３０が示されている。本実施形態の姿勢保持用クッション３０における袋体１２は、平面視において、全体として略矩形状とされていると共に、図４中の上方において隣り合う２つの角部が円弧状に湾曲している。換言すれば、平面視において図４中の下方の部分が略四角形とされていると共に、図４中の上方の部分が略半円形状とされている。なお、図４中の下方の部分は、長方形や台形等であってもよく、例えば、図４中の上方に向かって図４中の左右方向寸法が次第に小さくなる形状とすることもできる。本実施形態においても、袋体１２の内部に発泡ビーズ２０と中空パイプ２２とを含んでなる詰め物１４が充填されている。なお、以下の説明において、前記実施形態と同一の部材及び部位には、図中に、前記実施形態と同一の符号を付すことにより詳細な説明を省略する。
【００５０】
本実施形態では、詰め物１４が袋体１２の内容積に対して、例えば略５０％程度の充填率をもって充填されている。特に、本実施形態では、詰め物１４において発泡ビーズ２０と中空パイプ２２とが、略６：１の容積比をもって混合されている。
【００５１】
上記の如き形状とされた本実施形態の姿勢保持用クッション３０の使用態様の具体的な一例を図５に示すが、姿勢保持用クッション３０の使用態様は限定されるものではない。
【００５２】
本実施形態の姿勢保持用クッション３０は、例えば仰臥位の使用者Ａの頭部から胸部までを保持できる大きさとされている。特に、円背な使用者は、背中に局所的に圧力が及ぼされがちであるが、本実施形態の姿勢保持用クッション３０を適用することで、体圧が効果的に分散され得る。
【００５３】
また、図４の上方側を使用者Ａの頭部側とすることで、図４中の上方側の左右方向寸法を小さくしても、使用者Ａの頭部から胸部までを安定して保持することができる。これにより、姿勢保持用クッション３０が不必要に大きくなることがなく、使用者Ａの頭部の両側において、例えば介護や看護用の器具等を配置するスペース３２を確保することもできる。
【００５４】
特に、本実施形態では、発泡ビーズ２０と中空パイプ２２とが略６：１の容積比で混合されており、前記第１の実施形態に比べて、発泡ビーズ２０の割合が大きくされている。即ち、本実施形態では、脚部よりも比較的大きく動き、且つ重量のある頭部と胸部を保持することから、前記第１の実施形態よりも発泡ビーズ２０を多めに混合することで、詰め物１４の流動性（変形性）と形状保持性とが高度に両立して達成され易くなっている。
【００５５】
＜第３の実施形態＞
次に、図６には、本考案の第３の実施形態としての姿勢保持用クッション４０が示されている。本実施形態の姿勢保持用クッション４０における袋体１２は、平面視において、全体として略Ｊ字状（又は左右反転した略Ｊ字状）とされている。即ち、本実施形態の姿勢保持用クッション４０は、図６中の上下方向に延びるストレート部分４２と、図６中の下端部分においてストレート部分４２の幅方向一方（図６中の右方）に突出する鉤状部分４４とを備えている。なお、姿勢保持用クッション４０における図６中の下端面は、円弧状の湾曲面とされている。
【００５６】
本実施形態では、詰め物１４が袋体１２の内容積に対して、例えば略７０％程度の充填率をもって充填されている。特に、本実施形態では、詰め物１４において発泡ビーズ２０と中空パイプ２２とが、略６：１の容積比をもって混合されている。
【００５７】
上記の如き形状とされた本実施形態の姿勢保持用クッション４０の使用態様の具体的な一例を図７に示すが、姿勢保持用クッション４０の使用態様は限定されるものではない。
【００５８】
すなわち、例えば図７（ａ）に示すように、使用者Ａが側臥位の状態では、使用者Ａの背中や臀部が姿勢保持用クッション４０により支持され得る。また、例えば図７（ｂ）に示すように、使用者Ａが腹臥位の状態では、使用者Ａの腹部や大腿部が姿勢保持用クッション４０により支持され得る。
【００５９】
本実施形態では、発泡ビーズ２０と中空パイプ２２とが略６：１の容積比で混合されており、詰め物１４の流動性（変形性）と形状保持性とが高度に両立して達成され得る。特に、前記第２の実施形態では、寝返り等で使用者Ａが比較的大きく動くことが想定されるのに対して、本実施形態では姿勢保持用クッション４０に対してもたれかかることで使用者Ａの背中や腹部が支持されていることから、前記第２の実施形態と比較して、使用者Ａの支持部位があまり大きく動くことは想定されていない。それ故、前記第２の実施形態よりも詰め物１４の充填率が高く設定されることで、袋体１２内での詰め物１４の流動スペースを小さくすることができて、姿勢保持用クッション４０の大きな変形を伴うことなく、使用者Ａの姿勢を保持することができる。
【００６０】
＜第４の実施形態＞
次に、図８には、本考案の第４の実施形態としての姿勢保持用クッション５０が示されている。本実施形態の姿勢保持用クッション５０における袋体１２は、平面視において、全体として略長方形状とされている。具体的には、本実施形態の姿勢保持用クッション５０では、長辺の長さ寸法（図８中の左右方向寸法）Ｌ４が、短辺の長さ寸法（図８中の上下方向寸法）Ｌ５の３倍以上とされており、且つ長辺の長さ寸法Ｌ４が１ｍ以上とされている。
【００６１】
本実施形態では、詰め物１４が袋体１２の内容積に対して、例えば略９５％程度の充填率をもって充填されている。特に、本実施形態では、詰め物１４において発泡ビーズ２０と中空パイプ２２とが、略６：１の容積比をもって混合されている。
【００６２】
上記の如き形状とされた本実施形態の姿勢保持用クッション５０の使用態様の具体的な一例を図９に示すが、姿勢保持用クッション５０の使用態様は限定されるものではない。
【００６３】
すなわち、例えば図９（ａ）に示すように、使用者Ａが仰臥位の状態では、姿勢保持用クッション５０を二つ折りにすることで使用者Ａの頭部や肩、腕が姿勢保持用クッション５０により支持され得る。また、例えば図９（ｂ）に示すように、使用者Ａが側臥位の状態では、姿勢保持用クッション５０を使用者Ａの姿勢に合わせて折り曲げることで使用者Ａの頭部、肩、腕、背中、臀部、脚部を支持することも可能となる。
【００６４】
本実施形態においても、発泡ビーズ２０と中空パイプ２２とが略６：１の容積比で混合されており、詰め物１４の流動性（変形性）と形状保持性とが高度に両立して達成され得る。特に、本実施形態では、姿勢保持用クッション５０が細長い形状とされており、図９（ａ），（ｂ）に示すように、折り曲げて使用することが想定されている。また、詰め物１４の充填率が９５％と比較的高く設定されており、折り曲げた後の姿勢保持用クッション５０では、詰め物１４があまり流動せず、姿勢保持用クッション５０の形状の変化が比較的制限されている。それ故、本実施形態では、姿勢保持用クッション５０を使用者Ａの姿勢に合わせて折り曲げることで、使用者Ａの姿勢をより安定して保持することができる。
【００６５】
＜第５の実施形態＞
次に、図１０には、本考案の第５の実施形態としての姿勢保持用クッション６０が示されている。本実施形態の姿勢保持用クッション６０における袋体１２は、平面視において、略Ｃ字状とされている。具体的には、略一定の幅寸法をもって略半周の長さに亘って延びる円弧状とされており、中央部分には、略半円状の凹部６２が形成されている。
【００６６】
本実施形態では、詰め物１４が袋体１２の内容積に対して、例えば略６０％程度の充填率をもって充填されている。特に、本実施形態では、詰め物１４において発泡ビーズ２０と中空パイプ２２とが、略９：１の容積比をもって混合されている。
【００６７】
上記の如き形状とされた本実施形態の姿勢保持用クッション６０の使用態様の具体的な一例を図１１に示すが、姿勢保持用クッション６０の使用態様は限定されるものではない。
【００６８】
すなわち、図１１に示されるように、使用者Ａが椅子（車椅子、座椅子等を含む）やベッド上に腰かけた座位の状態において、例えば使用者Ａの胴体の側方から姿勢保持用クッション６０をあてがうことで、使用者Ａの背中から、肩、腕が姿勢保持用クッション６０により支持されて、座位姿勢の崩れが防止され得る。なお、本実施形態では、使用者Ａの大腿部上に別のクッション６４が設けられており、当該別のクッション６４と使用者Ａの腕部Ａ２とで姿勢保持用クッション６０を挟持しているが、このようなクッション６４は設けられる必要はなく、例えば椅子の肘掛けと使用者Ａの腕部Ａ２とで姿勢保持用クッション６０を挟持してもよい。
【００６９】
特に、本実施形態では、詰め物１４において、発泡ビーズ２０と中空パイプ２２とが略９：１の容積比で混合されている。即ち、本実施形態のように座位の使用者Ａの腕部Ａ２等を支持する場合、腕部Ａ２は大きく動く部位であり、且つ腕部Ａ２は重量の軽い部位であることから、前記実施形態に比べて中空パイプ２２よりも流動し易い発泡ビーズ２０が多めに混合されることで、形状保持性よりも流動性（変形性）が他の実施形態に比べて強く発揮されるようになっている。これにより、使用者Ａの腕部Ａ２の動きに追従して姿勢保持用クッション６０が効率的に変形することができて、姿勢保持用クッション６０による姿勢保持状態が安定して維持され得る。
【００７０】
＜他の実施形態＞
本明細書に記載された技術は上記記述及び図面によって説明した実施形態に限定されるものではなく、例えば次のような実施形態も本明細書に記載された技術の技術的範囲に含まれる。
【００７１】
（１）前記実施形態では、袋体１２の内部に直接詰め物１４が充填されていたが、詰め物が充填される収容袋を別途設けてもよく、袋体に、詰め物が充填された収容袋が収納されるようになっていてもよい。これにより、袋体から詰め物をこぼすことなく取り出すことができて、使用者に直接触れる袋体のみを洗濯したり交換したりすることができる。
【００７２】
（２）前記第１の実施形態では、袋体１２に溝部２８が設けられて中央部２４と側部２６とに仕切られていたが、上記（１）のように詰め物が充填される収容袋が別途設けられる場合、中央部と側部に相当する３つの縦長の収容袋を、横長の袋体に対して収納してもよい。
【００７３】
（３）詰め物は、発泡ビーズと中空パイプ以外に、例えば可撓性を有する部材を更に含んでいてもよい。
【００７４】
（４）前記実施形態で示した使用態様は単なる具体例の一つに過ぎず、姿勢保持用クッションの形状と使用者の身体における保持箇所、発泡ビーズと中空パイプとの比率、詰め物の充填率等は限定されるものではない。
【００７５】
（５）本考案に係る姿勢保持用クッションは、医療や介護、看護の分野で用いられる、例えば褥瘡を防止するクッションに適用されるだけでなく、健常者が用いる一般的なクッションに適用されてもよい。
【符号の説明】
【００７６】
１０  姿勢保持用クッション
１２  袋体
１４  詰め物
１６  表面層
１８  裏面層
２０  発泡ビーズ
２２  中空パイプ
２４  中央部
２６  側部
２８  溝部
３０  姿勢保持用クッション
３２  スペース
４０  姿勢保持用クッション
４２  ストレート部分
４４  鉤状部分
５０  姿勢保持用クッション
６０  姿勢保持用クッション
６２  凹部
６４  別のクッション
Ａ  使用者
Ａ１  脚部
Ａ２  腕部
【図１】
0003225688.tif 000003
【図２】
0003225688.tif 000004
【図３】
0003225688.tif 000005
【図４】
0003225688.tif 000006
【図５】
0003225688.tif 000007
【図６】
0003225688.tif 000008
【図７】
0003225688.tif 000009
【図８】
0003225688.tif 000010
【図９】
0003225688.tif 000011
【図１０】
0003225688.tif 000012
【図１１】
0003225688.tif 000013